(57)【特許請求の範囲】
【請求項１】
逆Ｕ字状のカバー体であり、表面部及び裏面部を内縁部において結合し外縁部に係止機構付き係脱自在開口を有して表裏面部の内側に袋状収容部を形成するカバー体と、
逆Ｕ字状のカバー体の袋状収容部に非膨張状態で収容され膨張作動時に係止を解除させてカバー体の外縁部の外側に膨出する浮袋と、
浮袋に一体的に取り付けられて非常時に浮袋に気体供給して浮袋を膨張させる気体供給装置と、を含み、
浮袋は非膨張状態でカバー体の形状に対応して逆Ｕ字状の浮袋内縁部を有し、
この浮袋内縁部とカバー体の内縁部とを連結固定する止着部であって、カバー体の内縁部に沿って設けられた連続または不連続状の止着部と、を備え、
浮袋は、非膨張時には扁平シート状形態となるように、表裏シート材を重ねてその外形輪郭部分を接合した袋体よりなり、非膨張時のカバー体への収容に際して止着部を決めた状態で自由端側をロール状に巻回して袋状収容部に収容され、
浮袋は、逆Ｕ字形状で逆Ｕ字の直状部が上部から下部側に向けて外縁が広がるように拡大した変形逆Ｕ字袋体よりなり、
浮袋の下部に取り付けられた気体供給装置と浮袋とが直接に接しないように、気体供給装置と浮袋間に保護シートが固定的に介装されていることを特徴とするジャケット形救命具。
【請求項２】
浮袋の逆Ｕ字の下端側に取り付けた気体供給装置が、ロール巻きされたカバー体の下部開口に近接して配置されることを特徴とする請求項１記載のジャケット形救命具。
【請求項３】
浮袋の止着部に非常用小物類の掛受具が取り付けられていることを特徴とする請求項１又は２記載のジャケット形救命具。
【発明の詳細な説明】
【技術分野】
【０００１】
本発明は、湖水、池、海上などで落水時等に備える救命具に関し、特に、腰部に装着着用するジャケット形救命具に関する。
【背景技術】
【０００２】
着用者を水上に浮かせ、頭部を水面上に位置させる救命用具としていわゆるライフジャケットが知られており、主にプールや河川、湖沼、海等での作業者、レジャーを楽しむ人、あるいは海上を飛行する航空機に搭載されて乗員、利用者等に広く用いられている。ライフジャケットとしては、単に発泡スチロール等の浮力材を胴衣中に収納させてジャケット形状に製作した固形式のものと、常時は折り畳み状態でコンパクトな形態で着用し、非常時に気体供給を受けて膨張し水上で着用者の体を支持する膨張式ライフジャケットがあるが、近時は、着用時の嵩張りで作業や運動が妨げられやすい固形式に代わって、コンパクトな態様で着用し非常時に作動する膨張式のライフジャケットが広く普及しつつある。従来、膨張式のライフジャケットについて特許文献１の提案がなされている。
【先行技術文献】
【特許文献】
【０００３】
【特許文献１】特開２００４−２０３３１６号公報
【発明の概要】
【発明が解決しようとする課題】
【０００４】
特許文献１の救命具は、逆Ｕ字状に成形されたカバー体内に空気袋からなる浮力体を膨出可能に収納し、空気袋を胴ベルトの止着部位より上方のカバー体内に収納させたものである。この救命具は、魚釣り時の釣人専用の救命具であり、空気袋を胴ベルトの止着部位より上方のカバー体内に収納させるために、気室の大きさが制限され、本来の救命用具の目的からすると、汎用性に欠ける。また、特許文献１の救命具の空気袋７の収容は、内部空気を抜いて押し潰し、小片状面ファスナで複数個所をカバー体に着脱係止させていると考えられるが、空気袋とカバー体とは分離されるから、洗浄後などに再び空気袋をカバー体内に収容するときにカバー体を逆Ｕ字状に形成し、非膨張の空気袋を畳み込みながら逆Ｕ字状の収納部に再収納する手順に迷いやすく、この再収納作業が煩雑で時間がかかる。また、部材のいずれかを紛失しないように収納、管理上の留意を要する。また、逆Ｕ字のカバー体の先端（下端）部と胴ベルトは結合閉鎖されているので、落水時等において、空気袋７に取り付けた空気供給装置（１１）の水感知反応が遅くなり、救難時の空気袋の膨張作動応答性に問題がある。さらに、ボンベ５２を含む気体供給装置が空気袋に直接に接して空気袋に孔や傷をつけたりするおそれがあり、救命具の基本的な機能を担保しえない。さらに、空気袋が膨張した状態ではカバー体はその背後に隠れてしまい、救難時に必要な小物類の保持ができない、という問題があった。
【０００５】
本発明は上記従来の課題に鑑みてなされたものであり、その第１の目的は、浮袋のカバー体への収納が煩雑で容易でない逆Ｕ字状のジャケット形救命具であって、浮袋のカバー体への収納が容易で、保管、管理もしやすい実用に優れたジャケット形救命具を提供することにある。また、本発明の第２の目的は、気体供給装置と浮袋とが直接接触しないようにしてカバー体への収納状態において浮袋の孔あきや損傷を防止できるジャケット形救命具を提供することにある。
【課題を解決するための手段】
【０００６】
上記課題を解決するために本発明は、逆Ｕ字状のカバー体であり、表面部２ａ及び裏面部２ｂを内縁部２０において結合し外縁部２２に係止機構８付き係脱自在開口８１を有して表裏面部の内側に袋状収容部５を形成するカバー体２と、逆Ｕ字状のカバー体２の袋状収容部５に非膨張状態で収容され膨張作動時に係止を解除させてカバー体の外縁部２２の外側に膨出する浮袋３と、浮袋に一体的に取り付けられて非常時に浮袋３に気体供給して浮袋を膨張させる気体供給装置４と、を含み、浮袋３は非膨張状態でカバー体２の形状に対応して逆Ｕ字状の浮袋内縁部３０を有し、この浮袋内縁部３０とカバー体の内縁部２０とを連結固定する止着部４０であって、カバー体２の内縁部２０に沿って設けられた連続または不連続状の止着部４０と、を備え、浮袋３は、非膨張時には扁平シート状形態となるように、表裏シート材（２ａ，２ｂ）を重ねてその外形輪郭部分を接合（３２）した袋体よりなり、非膨張時のカバー体２への収容に際して止着部４０を決めた状態で自由端側をロール状に巻回して袋状収容部５に収容され、浮袋３は、逆Ｕ字形状で逆Ｕ字の直状部が上部から下部側に向けて外縁が広がるように拡大した変形逆Ｕ字袋体よりなり、浮袋３の下部に取り付けられた気体供給装置４と浮袋３とが直接に接しないように、気体供給装置４と浮袋３間に保護シート５０が固定的に介装されたジャケット形救命具１から構成される。
【０００７】
その際、浮袋３の逆Ｕ字の下端側に取り付けた気体供給装置４が、ロール巻きされたカバー体２の下部開口（９）に近接して配置されるとよい。
【０００８】
また、浮袋３の止着部４０に非常用小物類の掛受具６０が取り付けられているとよい。
【発明の効果】
【０００９】
本発明のジャケット形救命具によれば、逆Ｕ字状のカバー体であり、表面部及び裏面部を内縁部において結合し外縁部に係止機構付き係脱自在開口を有して表裏面部の内側に袋状収容部を形成するカバー体と、逆Ｕ字状のカバー体の袋状収容部に非膨張状態で収容され膨張作動時に係止を解除させてカバー体の外縁部の外側に膨出する浮袋と、浮袋に一体的に取り付けられて非常時に浮袋に気体供給して浮袋を膨張させる気体供給装置と、を含み、浮袋は非膨張状態でカバー体の形状に対応して逆Ｕ字状の浮袋内縁部を有し、この浮袋内縁部とカバー体の内縁部とを連結固定する止着部であって、カバー体の内縁部に沿って設けられた連続または不連続状の止着部と、を備えた構成であるから、（１）カバー体と、浮袋のそれぞれの逆Ｕ字状内縁部を止着固定した状態で、自由端側から簡単かつ短時間に浮袋をカバー体内に収納することができる。また、（２）それぞれの逆Ｕ字状内縁部が同一または略同一の逆Ｕ字形状で結合されて決められているから、共に形態が定まっていないカバー体への浮袋の収納を短時間で整理した状態で収納させることができる。（３）さらに、浮袋はカバー体から分離されないから、海水その他の洗浄などを簡単、短時間で済ませることができるとともに、（４）カバー体への組み付けが不要で、収納、保管、管理が容易である。
【００１０】
また、浮袋は、非膨張時には扁平シート状形態となるように、表裏シート材を重ねてその外形輪郭部分を接合した袋体よりなり、非膨張時のカバー体への収容に際して止着部を決めた状態で自由端側をロール状に巻回して袋状収容部に収容される構成であるから、カバー体と、浮袋のそれぞれの逆Ｕ字状内縁部と、を止着固定した状態での自由端側からのロール状巻き込み収納を具体的に実現し得る。
【００１１】
また、浮袋は、逆Ｕ字形状で上部から下部側に向けて拡大した変形逆Ｕ字袋体よりなり、浮袋の下部に取り付けられた気体供給装置と浮袋とが直接に接しないように、気体供給装置と浮袋間に保護シートが固定的に介装された構成とすることにより、変形逆Ｕ字袋体の浮袋の下部（先端部分）に保護シートを介して気体供給装置を浮袋に一体的に取り付け気体供給装置で浮袋に孔をあけたり、あるいは損傷しないようにしつつ、浮袋をロール状に丸めてカバー体内へ収納させる構成を具体的に実現させることができる。
【００１２】
また、浮袋の逆Ｕ字の下端側に取り付けた気体供給装置が、ロール巻きされたカバー体の下部開口に近接して配置される構成とすることにより、浮袋、保護シートを筒状に形成することで水の流路を形成することとなり、水を円滑に流入させて気体供給装置の作動装置の水に対する応動特性を良好に保持させることができる。
【００１３】
また、浮袋の止着部に非常用小物類の掛受具が取り付けられた構成とすることにより、
膨張状態で上着ジャケットやカバー体が利用できなくとも、浮袋を膨張させた状態で警鳴用笛、その他の小物類などを予め取り付けておくことが可能である。
【図面の簡単な説明】
【００１４】
【図１】本発明の実施形態に係るジャケット形救命具の正面図である。
【図２】図１のジャケット形救命具の背面図である。
【図３】図１のジャケット形救命具の右側面図である。
【図４】図３のＢ−Ｂ線断面で浮袋を広げて配置した正面図である。
【図５】図４のＡ−Ａ線矢視図である。
【図６】図１のＣ−Ｃ線矢視図である。
【図７】図３のＢ−Ｂ線断面図である。
【図８】気体供給装置と保護シートと浮袋の一部省略分解斜視図である。
【図９】図８の気体供給装置と保護シートを浮袋に組み付けた状態の斜視説明図である。
【図１０】図１の救命具を装着した状態の着用者の側面図である。
【図１１】図１０の救命具の浮袋が膨張した状態の説明図である。
【発明を実施するための形態】
【００１５】
次に、本発明の実施形態に係る腰部装着形救命具について図１〜図１１を参照して詳細に説明する。
【００１６】
本発明のジャケット形救命具１は、落水等の緊急時に浮袋を膨張させて救命する装置であり、浮袋の非膨張時は着用者の首に逆Ｕ字の湾曲部を掛けてジャケットのように装着し、着用者の前部において膨張して浮力支持する救命具である。
【００１７】
図１は実施形態に係るジャケット形救命具１の正面図、図２は背面図、図３は右側面図である。図１ないし図３において、カバー体２は、非膨張時の浮袋３と、この浮袋３の内部に気体を供給する気体供給装置４を保護するものであり、図１に示すように常時（浮袋が非膨張状態でカバー体の内側に収容されている状態）は、逆Ｕ字状の長い袋状体で構成されている。カバー体２は、耐候性を有し丈夫で軽量な例えばナイロン系樹脂、ポリアミド樹脂、その他の合成樹脂素材の帯布状シートを幅方向に二つ折れし、その内側に逆Ｕ字状に連続した袋状収容部５を形成する（図５、６参照）。
【００１８】
カバー体２は、逆Ｕ字形状で略同じサイズの表面部（表面シート）２ａと裏面部（裏面シート）２ｂを重ね合わせ、逆Ｕ字形状の内縁（逆Ｕ字）部２０のみを縫着、溶着などにより結合し、外縁（逆Ｕ字）部２２を係脱自在に閉鎖したものである。カバー体２の表裏面部２ａ，２ｂに挟まれた内側には図５に示すように袋状収容部５が逆Ｕ字形状に連続して、しかも外縁部である一方側を係脱自在に開放し得るように設けられている。カバー体２の表裏面部２ａ，２ｂが相互に対向する面となるそれぞれの内側面の外縁部分には相互に着脱可能な雌雄の面ファスナ部材６、７が設けられて係止機構８を形成しており、これによって、カバー体２の外縁部分が内部に収容される浮袋３の非膨張状態で係止閉鎖し、膨張状態で係止解除されて開口する係脱自在開口８１を形成している。表裏面部の内側面の面ファスナ部材６，７は、逆Ｕ字の先端（下端）部分の一部に常時開口部分を形成するように、ファスナ部材が取り付けられていない非係脱部９（図６，図７）が設けられている。
【００１９】
浮袋３は、非膨張状態と膨張作動状態とに変位する膨張式ライフジャケットの主要構成要素であり、本実施形態において、逆Ｕ字状のカバー体２の袋状収容部５に非膨張状態で収容されて、膨張作動時に係止機構８により係止を解除されてカバー体２の外縁部２２の外側に膨出する。
【００２０】
浮袋３は、軽量、強度、耐候性を有するナイロン系等、あるいはＰＶＣ樹脂等を含む合成樹脂シート材で構成され、図５に示すように、非膨張時には扁平シート状形態となるように、表裏シート材２ａ，２ｂを重ねてその外形輪郭部分を接合した袋体で構成されている。そして、本実施形態において、浮袋３は、非膨張時には逆Ｕ字形状で逆Ｕ字の直状部が上部から下部側に向けて拡大した、外形が台形状の変形逆Ｕ字袋体より形成されている（図４参照）。浮袋３は、台形状外形輪郭に底部から高さ方向に逆Ｕ字の溝状切欠を形成してあり、この溝状切欠が浮袋内縁部３０とされる。逆Ｕ字の溝状切欠部分が着用者Ｍの首に掛け回されて使用される。そして、この浮袋内縁部３０とカバー体２の内縁部２０とは、止着部４０において連結固定されている。止着部４０は、カバー体２の内縁部２０と略同じ形状、サイズの浮袋内縁部３０とを逆Ｕ字形状部分で連結する連結部であり、詳細には、それぞれの内縁部２０，３０どうしを逆Ｕ字ラインに沿って縫合Ｓしている。実施形態では、逆Ｕ字の両直線部分の縫合線Ｓ１と湾曲部分の縫合線Ｓ２とが不連続の縫合でカバー体１と浮袋３を逆Ｕ字状に結合している。止着部４０は、逆Ｕ字の少なくとも両直線部分で連結が確保されるように縫着等されているのが好ましい。なお、カバー体１と浮袋３の逆Ｕ字状結合は、接着、融着などで行なっても良いし、また、逆Ｕ字に連続して接合させることもできる。
【００２１】
本実施形態において、浮袋３は、表シート材と裏シート材を重ねてその外形輪郭部分を接着、溶着などにより接合して内部を気密に封止した袋体で構成されている。なお、３２は浮袋３の外形輪郭部分の気密接合線であり、図示は省略しているが、ある程度の接合幅（例えば数ミリメートル以上〜２０ミリメートル程度）で周回状に連続して設けられている。
【００２２】
上記のように、逆Ｕ字ラインに沿ってカバー体２と浮袋３は止着部４０において連結固定させた構成とし、同時に浮袋３の非膨張時にカバー体２へ収容する際に、それぞれの逆Ｕ字部分である止着部４０が他端（Ｋ側）で固定端となっているので、これによって、特に、逆Ｕ字の直状部分において、浮袋３の自由端（Ｊ側）から巻き始めてロール状に巻回することにより、簡単に棒状にまとめられて袋状収容部５に収容される。すなわち、逆Ｕ字の直線部分において、止着部４０でカバー体２と浮袋３が直線状に固定されてやや硬い芯部分を形成しているので、これが他端Ｋ側の固定終端となって一端Ｊ側の端部から縦軸回りに容易にロール状に巻き取ることができ、これによって、展開状態（非膨張状態）からカバー体２内への収納作業に迷ったりせず、しかも簡単で短時間に浮袋のカバー体内への収納を行なうことができる。
【００２３】
図４，７に示すように、本実施形態において、浮袋３の逆Ｕ字形状の下端寄り位置に気体供給装置４が浮袋３と一体的に取り付けられている。気体供給装置は、ガスボンベ４５と、作動部５６と、センサ部４７と、を含み、落水時等にセンサ部４７が水分と反応して付勢係止状態を解除して作動針がガスボンベ４５の封止を破り、ボンベ内の気体を膨張させながら浮袋３内に急激供給する公知の気体供給装置が適用されている。実施形態においてガスボンベ４５を含めて気体供給装置４全体は縦長状態で浮袋３の下部側に取り付けられており、カバー体２内への収納時の巻取りの際にあたかも巻取り軸のように機能するから収納操作を簡単に行なえる。また、カバー体２の非係脱部９における常時開口部分と、ロール状に巻き込まれた浮袋３の筒状部分が短筒状の水の流路を形成し、落水時等において気体供給装置のセンサ部が水に対して良好に反応し得る。
【００２４】
さらに、本実施形態において、図８，９に示すように、浮袋３の下部に取り付けられた気体供給装置４と浮袋３とが直接に接しないように、気体供給装置４と浮袋３間に保護シート５０が固定的に介装されている。具体的には、浮袋３と気体供給装置４のボンベ４５に連通した作動装置４６とを通路兼用固定具４８により例えばゴム製などの柔らかい素材のシートからなる保護シート５０を挟み込み状態で取り付け固定している。これによって、救命の本体部分である浮袋３が金属製等の気体供給装置４に常時直接に接触することによる浮袋側への孔あきや損傷等を確実に防止し得る。なお、図中、５７は保護シート５０の一端側に突出された係止突起、５８は、保護シートを気体供給装置４に被覆状に掛けまわした際に係止突起５７を貫通されて受止める、保護シートに設けられた細孔である。
【００２５】
また、本実施形態において、浮袋３の止着部４０に非常用小物類の掛受具６０が取り付けられている。通常、本発明のような膨張式救命具の着用者は、その救命具の下に身体の保護、被覆のための通常ジャケットを着用しており、これにピンリールや警鳴用笛吊支用の掛かり部を設けているが、救命用の浮袋が膨張した状態では背後に配置させるカバー体２のさらに内側に通常ジャケットが位置するため、浮袋が膨張した非常時に必要な警鳴用笛を通常ジャケットに携帯していたとしても使用できず、救命の万全に欠ける問題があった。本実施形態では、浮袋３の逆Ｕ字形状の直状部分に掛受具６０を取り付けて係止用リールや警鳴用笛を取り付け可能としており、これによって、非常時に対応できるようにしている。本実施形態では、掛受具６０は、浮袋３のカバー体２への止着部４０上位置で帯布をループ状にして根元を固着して形成している。
【００２６】
図１において、逆Ｕ字形状のカバー体２の背面側には、図１０のように該カバー体２の逆Ｕ字頂部（図６）と逆Ｕ字のそれぞれの先端（下端）部にＹ字状の装着ベルト１０が固定されている。装着ベルト１０は中央縦方向の長さがバックル部材１２により調整可能となっている。また、カバー体２の逆Ｕ字先端部に固定された装着ベルト１０に延長してそれぞれ着脱ベルト１４が連結されており、それらの先端部に雌雄嵌合する着脱バックル１６が取り付けられて、着用者の前部においてその着脱バックル１６を介してジャケット形救命具１の着脱を行なうようになっている。なお、図上、１９は、着用者の口からの吹き込み操作で浮袋３を膨張させ得る逆止弁付き吹き込み装置であり、膨張状態の調整などにも利用される。
【００２７】
実施形態のジャケット形救命具１の使用に際しては、図１０のように非膨張の浮袋３をカバー体２内に収容して逆Ｕ字形状とした救命具本体を着用者Ｍの首に掛けた状態で着用者は諸作業やレジャーなどを行なう。そして、非常時に例えば落水した場合、非係脱部９から水がカバー体２内に浸入しこの際にカバー体とともに筒状に丸められた保護シート５０で案内されて水が円滑に流入し、気体供給装置４の作動装置を作動して膨張ガスを浮袋３内に急激供給し、膨張させる（図１１）。このとき、逆Ｕ字の通り、上端側が首に掛けまわされて両前身ごろ部分に逆Ｕ字の直状部分が垂下された状態となっている。Ｙ字状の装着ベルト１０は逆Ｕ字のカバー体の直状部分の下端部分において裏面側（図１）に例えば縫着等により連結されているので、浮袋３の逆Ｕ字先端部分長さを規制することなく、十分な気室大きさを形成でき、それに応じた充分な浮力大きさを得ることができる。気体供給装置４の作動装置は、自動による作動のほか、手動操作紐に取り付けられた取手１８を着用者が引き下げることにより作動させることもできる。
【００２８】
浮袋３の膨張作動に際しては、気体供給装置４の作動装置により膨張ガスが浮袋３内に供給されて浮袋３を膨張させる。このとき、係止機構８による雌雄の面ファスナ部材６，７の係合を強制解除し、カバー体の表裏面部２ａ，２ｂの係脱自在開口８１から浮袋３を突出させて拡大させる。
【００２９】
膨張後の浮袋３をカバー体２に収納する際は、カバー体２と、浮袋３のそれぞれの逆Ｕ字状内縁部２０、３０が逆Ｕ字あるいは逆Ｕ字状に止着部４０において固定されているので、カバー体２の表裏面部２ａ，２ｂの中間から（図５）、気体を抜いた状態の浮袋３を図４のように引き出して自然に床面上等に配置させる。そして、カバー体２と、浮袋３のそれぞれの逆Ｕ字状内縁部２０、３０が逆Ｕ字状に止着固定されているから、それぞれの逆Ｕ字の直状部分が決められて他端側が自由端となっており、この状態から浮袋３の逆Ｕ字先端（下端）拡大部分の端部（Ｊ側）から内側の逆Ｕ字直状部（Ｋ側）に向けてロール状に丸めてゆく。このとき、図８，９に示すように、ボンベ４５を含む縦長棒状の気体供給装置４を芯材として丸めることもあわせて、収納作業を簡単、円滑、かつ短時間に行なえる。そして、逆Ｕ字の上部は畳み込み部分が短く、しかも逆Ｕ字の両直状部分が丸められるので、簡単に収納作業を完了させることができる。浮袋３を逆Ｕ字先端（下端）拡大部分の端部から内側の逆Ｕ字直状部に向けてロール状に丸めてゆき、これを収納した状態で常時開口としての非係脱部９を形成させるから、（図６参照）、カバー体２に収容された保護シート５０並びに浮袋３が円筒状となって水の流路を形成する結果、落水時等に水が円滑に流入し、水との反応を短時間で、確実に生じさせることができる。また、保護シート５０により気体供給装置４が保護されて浮袋３とは直接に接触しないようにしているので、浮袋の穴あきや損傷を防止することができる。
【００３０】
さらに、カバー体２と、浮袋３のそれぞれの逆Ｕ字状内縁部２０、３０が逆Ｕ字あるいは逆Ｕ字状に止着部４０において固定されているので、常時カバー体２と袋体３が一体化されており、洗浄が簡単で一度に終えることができるだけでなく、収納や保管上便宜である。なお、膨張時の浮袋３に例えば反射材を貼付してもよく、周囲から存在を確認しやすくさせることができる。
【００３１】
本発明のジャケット形救命具は、上記した実施形態の構成のみに限定されるものではなく、特許請求の範囲に記載した発明の本質を逸脱しない限りにおいて任意に改変してもよい。
【符号の説明】
【００３２】
１  ジャケット形救命具
２  カバー体
２ａ  表面部
２ｂ  裏面部
３  浮袋
４  気体供給装置
５  袋状収容部
８  係止機構
８１  係脱自在開口
９  非係脱部
２０  カバー体の内縁部
２２  カバー体の外縁部
３０  浮袋内縁部
４０  止着部
５０  保護シート
６０  掛受具
【図１】
0005401716.tif 000002
【図２】
0005401716.tif 000003
【図３】
0005401716.tif 000004
【図４】
0005401716.tif 000005
【図５】
0005401716.tif 000006
【図６】
0005401716.tif 000007
【図７】
0005401716.tif 000008
【図８】
0005401716.tif 000009
【図９】
0005401716.tif 000010
【図１０】
0005401716.tif 000011
【図１１】
0005401716.tif 000012